(57)【特許請求の範囲】
【請求項１】
嵌合検知部材が嵌合方向の後部に前方に向かって装着される第一ハウジングと、前記第一ハウジングの前部を受け入れるフード部の形成された第二ハウジングと、からなるコネクタであって、
前記第一ハウジングに設けられロック部を有するロックアームと、
前記第二ハウジングの前記フード部に形成され前記ロック部と係合するロック突起と、
前記嵌合検知部材に設けられ前記ロックアームの撓み空間に進入して該ロックアームのロック解除方向の移動を阻止するロック規制部と、
前記嵌合検知部材に設けられ前記ロック部と前記ロック突起とを係合させた前記ロックアームと前記フード部を前記ロック規制部とで挟み込む指当部と、
を具備し、
前記嵌合検知部材には前記指当部にフードガタ押さえ突起が設けられるとともに前記ロック規制部にロックアームガタ押さえ突起が設けられ、
前記第二ハウジングと嵌合した前記第一ハウジングに本係止した前記嵌合検知部材は、前記フードガタ押さえ突起が前記フード部の嵌合方向の後方に形成されたガタ押さえフード斜面に当接するとともに、前記ロックアームガタ押さえ突起が前記ロックアームの嵌合方向の後方に形成されたガタ押さえアーム斜面に当接することを特徴とするコネクタ。
【発明の詳細な説明】
【技術分野】
【０００１】
本発明は、雄ハウジング、雌ハウジングの嵌合を保証する嵌合検知部材が設けられたコネクタに関する。
【背景技術】
【０００２】
コネクタには、雄雌コネクタが半嵌合状態であることを検知可能とする嵌合検知部材を備えるものがある（例えば特許文献１参照）。このコネクタは、図７に示すように、検知部材５０１が、ロックアーム５０３に対し待機位置と、検知位置との間を前後方向（両コネクタ５０５，５０７の嵌合方向）に沿って移動し得るように設けられている。検知部材５０１の後端は、待機位置にあるときには、雌コネクタハウジング５０９の後端よりも後方に突出し、検知位置にあるときには、雌コネクタハウジング５０９の後端とほぼ面一をなすようにして、検知部材５０１の前後長が設定されている。両コネクタ５０５，５０７はロックアーム５０３の前面壁５１１にフード部５１３の係止突部５１５が係止して正規嵌合状態にロックされる。両コネクタ５０５，５０７の嵌合途上においてロックアーム５０３が傾動姿勢にあるときに検知部材５０１が前方へ押し込まれると、撓み係止片５１７の前端が連結片５１９の後端に当接することにより検知部材５０１の前進規制が行われるため、両コネクタ５０５，５０７が半嵌合状態であることを検知可能としている。
【先行技術文献】
【特許文献】
【０００３】
【特許文献１】特開２００７−８０６２１号公報
【発明の概要】
【発明が解決しようとする課題】
【０００４】
しかしながら、検知部材５０１を備えた従来のコネクタは、検知部材５０１を設置して可動できる構造とするため、係合部の掛かり代が少なくなったり、ロックアーム５０３の強度が低下したりする虞がある。また、雄雌ハウジングの正規嵌合状態で、検知部材５０１が本係止されても、ロックアーム５０３の前面壁５１１と、フード部５１３の係止突部５１５とが、嵌合方向及び嵌合直交方向にガタ付きの生じるクリアランス５２１を有して係止しているため、これによってもガタ付いてロック係合部の掛かり代が減少する虞があった。
【０００５】
本発明は上記状況に鑑みてなされたもので、その目的は、ガタ付きでロック係合部の掛かり代が減少することを防止できるコネクタを提供することにある。
【課題を解決するための手段】
【０００６】
本発明に係る上記目的は、下記構成により達成される。
（１） 嵌合検知部材が嵌合方向の後部に前方に向かって装着される第一ハウジングと、前記第一ハウジングの前部を受け入れるフード部の形成された第二ハウジングと、からなるコネクタであって、前記第一ハウジングに設けられロック部を有するロックアームと、前記第二ハウジングの前記フード部に形成され前記ロック部と係合するロック突起と、前記嵌合検知部材に設けられ前記ロックアームの撓み空間に進入して該ロックアームのロック解除方向の移動を阻止するロック規制部と、前記嵌合検知部材に設けられ前記ロック部と前記ロック突起とを係合させた前記ロックアームと前記フード部を前記ロック規制部とで挟み込む指当部と、を具備し、
前記嵌合検知部材には前記指当部にフードガタ押さえ突起が設けられるとともに前記ロック規制部にロックアームガタ押さえ突起が設けられ、
前記第二ハウジングと嵌合した前記第一ハウジングに本係止した前記嵌合検知部材は、前記フードガタ押さえ突起が前記フード部の嵌合方向の後方に形成されたガタ押さえフード斜面に当接するとともに、前記ロックアームガタ押さえ突起が前記ロックアームの嵌合方向の後方に形成されたガタ押さえアーム斜面に当接することを特徴とするコネクタ。
【０００７】
このコネクタによれば、嵌合検知部材のロック規制部が第一ハウジングのロックアームの下（撓み空間）に入り込むことで嵌合解除が不能となり、嵌合検知部材の指当部が第二ハウジングのフード部からロック規制部に向かってロック係合部を押さえ込むことで、ロック突起が上方向（掛かり代が減少する方向）に動くことが防止される。これによりガタ付きなどでロック係合部の掛かり代の減少することが防止される。
また、このコネクタによれば、嵌合検知部材のロックアームガタ押さえ突起が第一ハウジングのガタ押さえアーム斜面と当接することで第一ハウジングが嵌合検知部材に対して嵌合方向の後方へと移動することが規制され、嵌合検知部材のフードガタ押さえ突起が第二ハウジングのガタ押さえフード斜面と当接することで第二ハウジングが嵌合方向の後方へ移動することが抑制される。これにより第一ハウジングと第二ハウジングは双方が嵌合方向の後方から嵌合方向に挟み込まれるので、嵌合方向のガタ付きが防止される。
【発明の効果】
【００１０】
本発明に係るコネクタによれば、嵌合検知部材で第一ハウジングのロックアームと第二ハウジングのフード部を挟み込むことにより、ガタ付きなどでロック係合部の掛かり代が減少することを防止できる。
【図面の簡単な説明】
【００１１】
【図１】（ａ）は嵌合検知部材が本係止した本発明に係るコネクタを雄ハウジングの後方より見た面、（ｂ）は（ａ）のＡ−Ａ断面図、（ｃ）は（ａ）のＢ−Ｂ断面における要部拡大断面図である。
【図２】（ａ）は雌ハウジングの斜視図、（ｂ）は（ａ）の正面図、（ｃ）は（ｂ）のＣ−Ｃ断面図である。
【図３】（ａ）は雄ハウジングの斜視図、（ｂ）は（ａ）の正面図、（ｃ）は（ｂ）のＤ−Ｄ断面図である。
【図４】（ａ）は嵌合検知部材の斜視図、（ｂ）は（ａ）の正面図、（ｃ）は（ａ）の側面図である。
【図５】（ａ）は嵌合検知部材が仮係止した雌ハウジングの正面図、（ｂ）は（ａ）のＦ−Ｆ断面図である。
【図６】（ａ）は嵌合検知部材が仮係止した本発明に係るコネクタを雄ハウジングの後方より見た面、（ｂ）は（ａ）のＧ−Ｇ断面図である。
【図７】従来の嵌合検知部材を備えたコネクタの断面図である。
【発明を実施するための形態】
【００１２】
以下、本発明の実施の形態を図面を参照して説明する。
図１（ａ）は嵌合検知部材が本係止した本発明に係るコネクタを雄ハウジングの後方より見た面、（ｂ）は（ａ）のＡ−Ａ断面図、（ｃ）は（ａ）のＢ−Ｂ断面図である。
本実施の形態に係るコネクタ１１は、第一ハウジングである雌ハウジング１３と、第二ハウジングである雄ハウジング１５とを相互に嵌合可能にして有する。雌ハウジング１３には雌端子１７が装着され、雄ハウジング１５には雄端子１９が装着されている。なお、本発明に係るコネクタ１１は、第一ハウジングが雄ハウジング、第二ハウジングが雌ハウジングであってもよい。雌ハウジング１３、雄ハウジング１５は、嵌合する側が前、その反対側が後となる。嵌合方向とは、それぞれのハウジングにおいて後から前に向かう方向を言う。
【００１３】
雌ハウジング１３には嵌合方向の後部２１に前方に向かって嵌合検知部材２３が装着されている。雄ハウジング１５には、雌ハウジング１３の前部２５を受け入れるフード部２７が形成されている。
【００１４】
図２（ａ）は雌ハウジング１３の斜視図、（ｂ）は（ａ）の正面図、（ｃ）は（ｂ）のＣ−Ｃ断面図である。
雌ハウジング１３の前面２９には雄端子１９の受入口３１が複数開口されている。受入口３１は雌端子収容室３３に通じている。雌ハウジング１３の上面には一端が自由端３５となる一対の平行なロックアーム３７が設けられ、ロックアーム３７は左右に架橋されたロック部３９を有する。ロック部３９のさらに後方には嵌合検知部材２３の仮係止位置での脱落を規制する係止段部４３が架橋されている。ロック部３９はフード部２７のロック突起４５に係合する。ロックアーム３７の略中央部の下面にはガタ押さえアーム斜面４７が形成されている。ガタ押さえアーム斜面４７には嵌合検知部材２３のロックアームガタ押さえ突起４９が当接する。
【００１５】
図３（ａ）は雄ハウジング１５の斜視図、（ｂ）は（ａ）の正面図、（ｃ）は（ｂ）のＤ−Ｄ断面図である。
雄ハウジング１５の後部には、雄端子１９を収容する複数の雄端子収容室５１が形成されている。雄ハウジング１５の前部には、雌ハウジング１３を内方に受け入れる四角開口５３を有したフード部２７が形成されている。フード部２７の上部にはロックアーム３７が進入するアーム収容部５５が形成されている。アーム収容部５５の前縁下面にはロック突起４５が垂設されている。このロック突起４５がロックアーム３７のロック部３９と係合する。
【００１６】
フード部２７の内部の前壁５７には複数の雄タブ導出口５９が開口され、雄タブ導出口５９は雄端子収容室５１に通じている。雄端子収容室５１に装着された雄端子１９は、図１に示す雄タブ６１が雄タブ導出口５９を貫通してフード部２７の内部に突出し、嵌合した雌ハウジング１３の雌端子１７と接触する。
【００１７】
フード部２７の上面には一対の平行な溝６３が形成されている。溝６３の前部には前後が斜面となる凸部６５が形成される。凸部６５は頂きが平面となってフード部２７の上面と面一となる。凸部６５の前方の溝６３は、ガタ押さえ逃がし溝６３ａとなる。凸部６５は、ガタ押さえ逃がし溝６３ａと反対面側がガタ押さえフード斜面６９となる。このガタ押さえフード斜面６９には嵌合検知部材２３のフードガタ押さえ突起７１が当接する。
【００１８】
図４（ａ）は嵌合検知部材２３の斜視図、（ｂ）は（ａ）の正面図、（ｃ）は（ａ）の側面図である。
嵌合検知部材２３は、上面が階段状の滑り止め面となる指当部７３と、指当部７３の下面に垂設される本体部７５と、本体部７５の高さ方向の中間部から雌ハウジング１３への挿入方向に向かって突出する係止アーム７７と、本体部７５の下端左右から雌ハウジング１３への挿入方向に向かって突出する一対のロック規制部７９と、を有する。
【００１９】
係止アーム７７の先端上面には嵌合検知突起４１が隆起して形成されている。ロック規制部７９は、ロックアーム３７の撓み空間８１に進入してロックアーム３７のロック解除方向の移動を阻止する。ロック規制部７９の先端上面にはロックアームガタ押さえ突起４９が隆起して形成され、ロックアームガタ押さえ突起４９はロックアーム３７の上記したガタ押さえアーム斜面４７と当接する。指当部７３は、嵌合検知部材２３が本係止した位置で、ロック部３９とロック突起４５とを係合させたロックアーム３７とフード部２７をロック規制部７９とで挟み込む。
【００２０】
指当部７３の先端下面には一対のフードガタ押さえ突起７１が設けられる。雄ハウジング１５と嵌合した雌ハウジング１３に本係止した嵌合検知部材２３は、フードガタ押さえ突起７１がフード部２７の嵌合方向の後方に形成されたガタ押さえフード斜面６９に当接するとともに、ロックアームガタ押さえ突起４９がロックアーム３７の嵌合方向の後方に形成されたガタ押さえアーム斜面４７に当接するように形成されている。
【００２１】
次に、上記構成を有するコネクタ１１の作用を説明する。
図５（ａ）は嵌合検知部材２３が仮係止した雌ハウジング１３の正面図、（ｂ）は（ａ）のＦ−Ｆ断面図、図６（ａ）は嵌合検知部材２３が仮係止した本発明に係るコネクタ１１を雄ハウジング１５の後方より見た面、（ｂ）は（ａ）のＧ−Ｇ断面図である。
図５に示すように、雌ハウジング１３には、雄ハウジング１５との嵌合前に嵌合検知部材２３が仮係止されている。嵌合検知部材２３は、嵌合検知突起４１がロック部３９に当接することで前方への移動が規制され、フードガタ押さえ突起７１がロックアーム３７の係止段部４３に係止して後方への移動が規制されている。
【００２２】
図６に示すように、雌ハウジング１３と雄ハウジング１５が嵌合開始されると、ロックアーム３７がロック突起４５に押し下げられた後、ロック突起４５よりもフード部２７の奥側に進入する。ロックアーム３７は、ロック部３９がロック突起４５を通過すると、弾性復元力により水平に復帰し、ロック突起４５に後方から係止して雄ハウジング１５と雌ハウジング１３の離脱が規制されてロックされる。
【００２３】
雄ハウジング１５、雌ハウジング１３が嵌合すると、嵌合検知部材２３の嵌合検知突起４１がロック突起４５によって下方に押し下げられてロック部３９との当接が解除され、嵌合検知部材２３は前方へ移動可能な状態となる。
【００２４】
移動可能となった嵌合検知部材２３の指当部７３を操作して前方へ移動させると、図１に示すように、嵌合検知突起４１は雌ハウジング１３のロック部３９の前方に移動して係止アーム７７が弾性復帰することで本係止位置となる。作業者は、嵌合検知部材２３の指当部７３の前進位置、或いは指当部後端８３と雌ハウジング後端８５との一致を以って、雄ハウジング１５、雌ハウジング１３の嵌合を保証する。
【００２５】
嵌合検知部材２３のロック規制部７９が雌ハウジング１３のロックアーム３７の下に入り込むことで嵌合解除が不可となり、嵌合検知部材２３の指当部７３が雄ハウジング１５のフード部２７を外から押さえ込むことで、ロック突起４５が上方向に動くことを防止する。
【００２６】
また、嵌合検知部材２３のロックアームガタ押さえ突起４９が雌ハウジング１３のガタ押さえアーム斜面４７と当接することで雌ハウジング１３が後方へ移動することが抑制される。嵌合検知部材２３のフードガタ押さえ突起７１が雄ハウジング１５のガタ押さえフード斜面６９と当接することで雄ハウジング１５が後方へ移動することが抑制される。
【００２７】
このように、コネクタ１１では、嵌合検知部材２３のロック規制部７９が雌ハウジング１３のロックアーム３７の下（撓み空間８１）に入り込むことで嵌合解除が不能となり、嵌合検知部材２３の指当部７３が雄ハウジング１５のフード部２７からロック規制部７９に向かってロック係合部８７（図１参照）を押さえ込むことで、ロック突起４５が上方向（掛かり代が減少する方向）に動くことが防止される。これによりガタ付きなどでロック係合部８７の掛かり代の減少することが防止される。
【００２８】
また、嵌合検知部材２３のロックアームガタ押さえ突起４９が雌ハウジング１３のガタ押さえアーム斜面４７と当接することで雌ハウジング１３が嵌合検知部材２３に対して嵌合方向の後方へ移動することが規制され、嵌合検知部材２３のフードガタ押さえ突起７１が雄ハウジング１５のガタ押さえフード斜面６９と当接することで雄ハウジング１５が嵌合方向の後方へ移動することが抑制される。これにより雄ハウジング１５と雌ハウジング１３は双方が嵌合方向の後方から嵌合方向に挟み込まれるので、嵌合方向のガタ付きが防止されることとなる。
【００２９】
したがって、本実施の形態に係るコネクタ１１によれば、嵌合検知部材２３で雌ハウジング１３のロックアーム３７と雄ハウジング１５のフード部２７を挟み込むことにより、ガタ付きなどでロック係合部８７の掛かり代が減少することを防止できる。この結果、コネクタ保持力を向上させることができる。また、嵌合検知部材２３に設けたフードガタ押さえ突起７１、ロックアームガタ押さえ突起４９によって雄ハウジング１５、雌ハウジング１３の嵌合方向のガタ付きを防止し、雌端子１７、雄端子１９の微摺動磨耗を防止することができる。
【符号の説明】
【００３０】
１１  コネクタ
１３  雌ハウジング（第一ハウジング）
１５  雄ハウジング（第二ハウジング）
２１  後部
２３  嵌合検知部材
２５  前部
２７  フード部
３７  ロックアーム
３９  ロック部
４５  ロック突起
４７  ガタ押さえアーム斜面
４９  ロックアームガタ押さえ突起
６９  ガタ押さえフード斜面
７１  フードガタ押さえ突起
７３  指当部
７９  ロック規制部
８１  撓み空間
【図１】
0005610959.tif 000002
【図２】
0005610959.tif 000003
【図３】
0005610959.tif 000004
【図４】
0005610959.tif 000005
【図５】
0005610959.tif 000006
【図６】
0005610959.tif 000007
【図７】
0005610959.tif 000008